(57)【要約】      （修正有）【課題】ドライバーヘッドが強固に保持されると共に、ドライバーヘッドの交換が便利で、部品点数が減少し、構造が簡単で、組付作業が容易なドライバーヘッド交換可能な工具を提供する。【解決手段】中心軸線１１を有し、スリーブ端部内縁１２と、非円形内周壁１３と、を含み、スリーブ端部内縁には、多数のコーナー部１４と、コーナー部の間に位置する多数の止め縁１５と、が設けられ、コーナー部から中心軸線までの距離は、止め縁から中心軸線までの距離よりも大きい外スリーブと、非円形外周壁２１を有し、外スリーブに脱着可能に嵌合し、第１連接端２２の裏壁には、軸方向に延びる係り凹み２３が多数設けられ、第１連接端は、止め縁に向く第１端面２４を有し、非円形内周壁と非円形外周壁は、互いに円周方向にスライドすることができないように当接する内スリーブ２０と、を含む。【選択図】図２
0003192986.tif 000002
【実用新案登録請求の範囲】
【請求項１】
中心軸線を有し、スリーブ端部内縁と、非円形内周壁と、を含み、前記スリーブ端部内縁には、多数のコーナー部と、これらの前記コーナー部の間に位置する多数の止め縁と、が設けられており、前記コーナー部から前記中心軸線までの距離は、前記止め縁から前記中心軸線までの距離よりも大きい外スリーブと、
非円形外周壁を有し、前記外スリーブに脱着可能に嵌合することが可能であり、軸方向に位置する第１連接端を有し、前記第１連接端の裏壁には、軸方向に延びる係り凹みが多数設けられており、前記第１連接端は、これらの前記止め縁に向く第１端面を有し、前記非円形内周壁と前記非円形外周壁は、相対的に円周方向にスライドすることができないように互いに当接し、前記係り凹みから前記中心軸線までの距離は、前記止め縁から前記中心軸線までの距離よりも小さく、軸方向から見れば、前記各係り凹みは前記止め縁と重ね合っており、前記第１端面と前記スリーブ端部内縁の間の距離が予定距離よりも小さくないときには、ドライバーヘッドを挿入して回転することが可能な内スリーブと、
を含むドライバーヘッド交換可能な工具において、
前記ドライバーヘッドは第１端を有し、前記第１端の周面には、軸方向に延びる多数の押付コーナー部と、第２端面と、が設けられており、前記押付コーナー部から前記中心軸線までの最大距離は、前記止め縁から前記中心軸線までの距離よりも小さく、前記押付コーナー部の軸方向での最大外径を有する箇所から前記第２端面までの距離は、前記予定距離よりも大きくなく、前記第１端は前記第１連接端に脱着可能に挿入することが可能であり、前記各押付コーナー部は、それに対応する係り凹みに回転するときに、当該係り凹みに入れることが可能であり、前記第１端面とこれらの前記止め縁が互いに近接することにより、これらの前記止め縁を介して、前記ドライバーヘッドの前記第１端が前記第１連接端内に規制されていることを特徴とするドライバーヘッド交換可能な工具。
【請求項２】
更に、押付手段を含み、前記押付手段は、前記非円形内周壁又は前記非円形外周壁に後退可能に突設されている押付体を含み、前記押付体は、前記非円形内周壁と前記非円形外周壁の間に押付けることを特徴とする、請求項１に記載のドライバーヘッド交換可能な工具。
【請求項３】
前記押付手段は、更に、軸方向延び溝を含み、前記軸方向延び溝は、前記非円形内周壁と前記非円形外周壁のうちの一方に形成されており、前記非円形内周壁と前記非円形外周壁のうちの他方に前記押付体が設けられており、前記押付体は前記軸方向延び溝に移動可能に配されていることを特徴とする、請求項２に記載のドライバーヘッド交換可能な工具。
【請求項４】
前記軸方向延び溝は、更に、少なくとも一つの定位溝部を含み、前記定位溝部はより大きくて深いことを特徴とする、請求項３に記載のドライバーヘッド交換可能な工具。
【請求項５】
前記定位溝部は、前記スリーブ端部内縁に近接する第１定位溝部と、前記スリーブ端部内縁から遠ざかった第２定位溝部と、を含み、前記押付体が前記第１定位溝部に押付けているときには、前記第１端面と前記スリーブ端部内縁の間の距離は前記予定距離よりも小さく、前記押付体が前記第２定位溝部に押付けているときには、前記第１端面と前記スリーブ端部内縁の間の距離は前記予定距離よりも小さくないことを特徴とする、請求項４に記載のドライバーヘッド交換可能な工具。
【請求項６】
中心軸線を有し、スリーブ端部内縁と、非円形内周壁と、を含み、前記スリーブ端部内縁には、多数のコーナー部と、これらの前記コーナー部の間に位置する多数の止め縁と、が設けられており、前記コーナー部から前記中心軸線までの距離は、前記止め縁から前記中心軸線までの距離よりも大きい外スリーブと、
非円形外周壁を有し、前記外スリーブに脱着可能に嵌合することが可能であり、軸方向に位置する第１連接端を有し、前記第１連接端の裏壁には、軸方向に延びる係り凹みが多数設けられており、前記係り凹みから前記中心軸線までの距離は、前記止め縁から前記中心軸線までの距離よりも小さく、軸方向から見れば、前記各係り凹みは前記止め縁と重ね合っており、前記第１連接端は、これらの前記係り凹みをこれらの押付コーナー部に対応するように、ドライバーヘッドの第１端に嵌め設けられており、前記各押付コーナー部は、それに対応する前記係り凹みに収容され、前記非円形内周壁と前記非円形外周壁は、相対的に円周方向にスライドすることができないように互いに当接する内スリーブと、
を含むドライバーヘッド交換可能な工具において、
前記ドライバーヘッドの前記第１端は前記外スリーブに収容され、前記第１端の周面には、軸方向に延びる前記押付コーナー部が多数設けられており、前記押付コーナー部から前記中心軸線までの最大距離は、前記止め縁から前記中心軸線までの距離よりも小さく、軸方向から見れば、前記各押付コーナー部は一つの前記止め縁に対向し、
前記第１連接端とこれらの前記止め縁が互いに近接することにより、これらの前記止め縁を介して、前記ドライバーヘッドの前記第１端が前記第１連接端内に規制されていることを特徴とするドライバーヘッド交換可能な工具。
【請求項７】
更に、押付手段を含み、前記押付手段は、前記非円形内周壁又は前記非円形外周壁に後退可能に突設されている押付体を含み、前記押付体は、前記非円形内周壁と前記非円形外周壁の間に押付けることを特徴とする、請求項６に記載のドライバーヘッド交換可能な工具。
【請求項８】
前記第１端には、多角ボール状ヘッドと、半径方向凸縁と、が設けられており、
前記半径方向凸縁が前記スリーブ端部内縁に押付けているときには、前記ドライバーヘッド、前記外スリーブ及び前記内スリーブが互いに固定し、
前記半径方向凸縁が前記スリーブ端部内縁に押付けていないときに、前記ドライバーヘッドは、前記多角ボール状ヘッドを中心として、前記外スリーブと前記内スリーブに対して旋回することが可能であることを特徴とする、請求項１から７の何れかの一つに記載のドライバーヘッド交換可能な工具。
【請求項９】
前記第１連接端の裏壁には、前記ドライバーヘッドの前記第１端に向く階段面が設けられており、前記半径方向凸縁が前記スリーブ端部内縁に押付けているときには、前記第１端の端面が前記階段面に当接することを特徴とする、請求項８に記載のドライバーヘッド交換可能な工具。
【請求項１０】
前記第１端に多角ロッドが設けられていることを特徴とする、請求項１から７の何れかの一つに記載のドライバーヘッド交換可能な工具。
【考案の詳細な説明】
【技術分野】
【０００１】
本考案は、ドライバーヘッド交換可能な工具に関するものである。
【背景技術】
【０００２】
従来の二段式の継ぎ手は、支持ロッドの多角ボール状ヘッドが工作ヘッドの収容空間に収容される。前記収容空間の形状は、前記多角ボール状ヘッドに対応する多角形を呈する。連結構造により、前記支持ロッドを押し込むと、前記支持ロッドは前記工作ヘッドに固定されている。なお、前記支持ロッドを引き出すと、前記支持ロッドは前記工作ヘッドに対して旋回することが可能である。例えば特許文献１の台湾特許ＴＷ５６６２８４号及び特許文献２の台湾特許ＴＷＭ３５７３４４号が提案された。
【０００３】
特許文献１の台湾特許ＴＷ５６６２８４号の工具は、収容空間の裏壁が多角形を呈するため、多角ボール状ヘッドと前記収容空間の接触が面と面の接触である。電動駆動装置により支持ロッドを駆動して、前記支持ロッドが工作ヘッドに対して高速に回転しているときには、前記多角ボール状ヘッドと前記収容空間の摩擦が大きすぎて溶着する可能性がある。このように、前記電動駆動装置及び前記工具は損壊しやすい。また、前記多角ボール状ヘッドと前記収容空間が溶着しなくても、摩擦が大きいため、エネルギーを無駄に消耗する。
【０００４】
上記の問題を解決するために、特許文献２の台湾特許ＴＷＭ３５７３４４号が提案された。このような工具は、収容空間の側壁には、多角ボール状ヘッドに対応する凸縁が多数設けられている。これらの前記凸縁は、前記収容空間の前記側壁に等距離に設けられており、その数量が前記多角ボール状ヘッドのコーナーの数量と同じである。前記各凸縁は、前記多角ボール状ヘッドに接触する円弧形接触面を有する。このように、支持ロッドは工作ヘッドと連動して回転することが可能である。
【０００５】
しかし、これらの上記の工具は、前記多角ボール状ヘッドの各コーナー部を有効に止める止め縁を有しないため、高速に回転しているときに、ドライバーヘッドが脱出しやすい。このように、作業効率が良くなく、作業が中断しやすく、更に、人身事故を発生する可能性がある。
【先行技術文献】
【特許文献】
【０００６】
【特許文献１】台湾特許ＴＷ５６６２８４号公報
【特許文献２】台湾特許ＴＷＭ３５７３４４号公報
【考案の概要】
【考案が解決しようとする課題】
【０００７】
本考案の主な目的は、ドライバーヘッドが容易に脱出することができず、ドライバーヘッドの交換が便利となり、ドライバーヘッドの旋回が可能となり、部品の点数が減少し、構造が簡単となり、組付作業が容易となるドライバーヘッド交換可能な工具を提供することにある。
【課題を解決するための手段】
【０００８】
本考案のドライバーヘッド交換可能な工具によると、中心軸線を有し、スリーブ端部内縁と、非円形内周壁と、を含み、スリーブ端部内縁には、多数のコーナー部と、これらのコーナー部の間に位置する多数の止め縁と、が設けられており、コーナー部から中心軸線までの距離は、止め縁から中心軸線までの距離よりも大きい外スリーブと、
非円形外周壁を有し、外スリーブに脱着可能に嵌合することが可能であり、軸方向に位置する第１連接端を有し、第１連接端の裏壁には、軸方向に延びる係り凹みが多数設けられており、第１連接端は、これらの止め縁に向く第１端面を有し、非円形内周壁と非円形外周壁は、相対的に円周方向にスライドすることができないように互いに当接し、係り凹みから中心軸線までの距離は、止め縁から中心軸線までの距離よりも小さく、軸方向から見れば、各係り凹みは止め縁と重ね合っており、第１端面とスリーブ端部内縁の間の距離が予定距離よりも小さくないときには、ドライバーヘッドを挿入して回転することが可能な内スリーブと、
を含むドライバーヘッド交換可能な工具において、
ドライバーヘッドは第１端を有し、第１端の周面には、軸方向に延びる多数の押付コーナー部と、第２端面と、が設けられており、押付コーナー部から中心軸線までの最大距離は、止め縁から中心軸線までの距離よりも小さく、押付コーナー部の軸方向での最大外径を有する箇所から第２端面までの距離は、予定距離よりも大きくなく、第１端は第１連接端に脱着可能に挿入することが可能であり、各押付コーナー部は、それに対応する係り凹みに回転するときに、当該係り凹みに入れることが可能であり、第１端面とこれらの止め縁が互いに近接することにより、これらの止め縁を介して、ドライバーヘッドの第１端が第１連接端内に規制されていることを特徴とする。
【０００９】
本考案のドライバーヘッド交換可能な工具によると、更に、押付手段を含み、押付手段は、非円形内周壁又は非円形外周壁に後退可能に突設されている押付体を含み、押付体は、非円形内周壁と非円形外周壁の間に押付けることを特徴とする。
【００１０】
本考案のドライバーヘッド交換可能な工具によると、押付手段は、更に、軸方向延び溝を含み、軸方向延び溝は、非円形内周壁と非円形外周壁のうちの一方に形成されており、非円形内周壁と非円形外周壁のうちの他方に押付体が設けられており、押付体は軸方向延び溝に移動可能に配されていることを特徴とする。
【００１１】
本考案のドライバーヘッド交換可能な工具によると、軸方向延び溝は、更に、少なくとも一つの定位溝部を含み、定位溝部はより大きくて深いことを特徴とする。
【００１２】
本考案のドライバーヘッド交換可能な工具によると、定位溝部は、スリーブ端部内縁に近接する第１定位溝部と、スリーブ端部内縁から遠ざかった第２定位溝部と、を含み、押付体が第１定位溝部に押付けているときには、第１端面とスリーブ端部内縁の間の距離は予定距離よりも小さく、押付体が第２定位溝部に押付けているときには、第１端面とスリーブ端部内縁の間の距離は予定距離よりも小さくないことを特徴とする。
【００１３】
本考案のドライバーヘッド交換可能な工具によると、中心軸線を有し、スリーブ端部内縁と、非円形内周壁と、を含み、スリーブ端部内縁には、多数のコーナー部と、これらのコーナー部の間に位置する多数の止め縁と、が設けられており、コーナー部から中心軸線までの距離は、止め縁から中心軸線までの距離よりも大きい外スリーブと、
非円形外周壁を有し、外スリーブに脱着可能に嵌合することが可能であり、軸方向に位置する第１連接端を有し、第１連接端の裏壁には、軸方向に延びる係り凹みが多数設けられており、係り凹みから中心軸線までの距離は、止め縁から中心軸線までの距離よりも小さく、軸方向から見れば、各係り凹みは止め縁と重ね合っており、第１連接端は、これらの係り凹みをこれらの押付コーナー部に対応するように、ドライバーヘッドの第１端に嵌め設けられており、各押付コーナー部は、それに対応する係り凹みに収容され、非円形内周壁と非円形外周壁は、相対的に円周方向にスライドすることができないように互いに当接する内スリーブと、
を含むドライバーヘッド交換可能な工具において、
ドライバーヘッドの第１端は外スリーブに収容され、第１端の周面には、軸方向に延びる押付コーナー部が多数設けられており、押付コーナー部から中心軸線までの最大距離は、止め縁から中心軸線までの距離よりも小さく、軸方向から見れば、各押付コーナー部は一つの止め縁に対向し、
第１連接端とこれらの止め縁が互いに近接することにより、これらの止め縁を介して、ドライバーヘッドの第１端が第１連接端内に規制されていることを特徴とする。
【００１４】
本考案のドライバーヘッド交換可能な工具によると、更に、押付手段を含み、押付手段は、非円形内周壁又は非円形外周壁に後退可能に突設されている押付体を含み、押付体は、非円形内周壁と非円形外周壁の間に押付けることを特徴とする。
【００１５】
本考案のドライバーヘッド交換可能な工具によると、第１端には、多角ボール状ヘッドと、半径方向凸縁と、が設けられており、
半径方向凸縁がスリーブ端部内縁に押付けているときには、ドライバーヘッド、外スリーブ及び内スリーブが互いに固定し、
半径方向凸縁がスリーブ端部内縁に押付けていないときに、ドライバーヘッドは、多角ボール状ヘッドを中心として、外スリーブと内スリーブに対して旋回することが可能であることを特徴とする。
【００１６】
本考案のドライバーヘッド交換可能な工具によると、第１連接端の裏壁には、ドライバーヘッドの第１端に向く階段面が設けられており、半径方向凸縁がスリーブ端部内縁に押付けているときには、第１端の端面が階段面に当接することを特徴とする。
【００１７】
本考案のドライバーヘッド交換可能な工具によると、第１端に多角ロッドが設けられていることを特徴とする。
【考案の効果】
【００１８】
本考案のドライバーヘッド交換可能な工具によれば、次のような効果がある。
（１）外スリーブと内スリーブは非円形な周壁によって嵌合するため、各止め縁がドライバーヘッドの各押付コーナー部を止めることが可能である。これにより、ドライバーヘッドが内スリーブから脱出することを防止することが可能であり、ドライバーヘッドの交換が便利となり、部品の点数が減少し、構造が簡単となり、組付作業が容易となる。
【００１９】
（２）外スリーブと内スリーブは非円形な周壁によって嵌合するため、構造強度が増加して、高速及び／又は高トルクで作業しても、断裂しにくい。
【００２０】
（３）ドライバーヘッドは内スリーブと外スリーブに対して旋回することが可能であるため、進入しにくい場所でドライバーヘッドを利用しても、例えば螺子やボルトなどの締結具を脱着することが可能である。特に、ドライバーヘッドの各押付コーナー部は、それに対応する止め縁に規制されるため、脱出しにくく、ひいては作業効率が良くなり、作業が中断せず、人身事故を発生することはない。
【図面の簡単な説明】
【００２１】
【図１】本考案の実施例１の組合済み状態を示す斜視図である。
【図２】本考案の実施例１を示す分解斜視図である。
【図３】本考案の実施例１の組合済み状態を示す断面図１である。
【図４】図３の４−４線の断面図である。
【図５】本考案の実施例１の組合済み状態を示す断面図２である。
【図６】図５の６−６線の断面図である。
【図７】本考案の実施例１の組合済み状態を示す断面図である。
【図８】本考案の実施例１の組合済み状態を示す断面図である。
【図９】図７の９−９線の断面図である。
【図１０】本考案の実施例２を示す断面図である。
【図１１】異なるドライバーヘッドを示す斜視図である。
【図１２】異なるドライバーヘッドを示す斜視図である。
【図１３】異なるドライバーヘッドを示す斜視図である。
【考案を実施するための形態】
【００２２】
以下、本考案の実施の形態を図面に基づいて説明する。
【実施例１】
【００２３】
図１から図６を参照する。図１は本考案の実施例１の組合済み状態を示す斜視図であり、図２は本考案の実施例１を示す分解斜視図であり、図３は本考案の実施例１の組合済み状態を示す断面図１であり、図４は図３の４−４線の断面図であり、図５は本考案の実施例１の組合済み状態を示す断面図２であり、図６は図５の６−６線の断面図である。本実施例は、外スリーブ１０と、内スリーブ２０と、を含む。
【００２４】
外スリーブ１０は、中心軸線１１を有し、スリーブ端部内縁１２と、非円形内周壁１３（例えば六角ロッド）と、を含む。スリーブ端部内縁１２には、多数のコーナー部１４と、これらのコーナー部１４の間に位置する多数の止め縁１５と、が設けられている。コーナー部１４から中心軸線１１までの距離は、止め縁１５から中心軸線１１までの距離よりも大きい。詳細的には、各止め縁１５は、隣接する二つのコーナー部１４を連接し、平面を呈し、コーナー部１４は、隣接する二つの止め縁１５よりもスリーブ端部内縁１２の半径方向へ凹む。
【００２５】
内スリーブ２０は非円形外周壁２１を有する。具体的には、非円形外周壁２１の大きさ及び寸法は非円形内周壁１３に対応する。内スリーブ２０は、外スリーブ１０に脱着可能に嵌合することが可能であり、軸方向に位置する第１連接端２２を有する。第１連接端２２の裏壁には、軸方向に延びる係り凹み２３が多数設けられている。第１連接端２２は、これらの止め縁１５に向く第１端面２４を有する。非円形内周壁２１と非円形外周壁１３は、相対的に円周方向にスライドすることができないように互いに当接する。係り凹み２３から中心軸線１１までの距離は、止め縁１５から中心軸線１１までの距離よりも小さい。第１端面２４とスリーブ端部内縁１２の間の距離が予定距離よりも小さくないときには、ドライバーヘッド３０を挿入して回転することが可能である。軸方向から見れば、図５及び図６に示すように、各係り凹み２３は止め縁１５と重ね合っている。
【００２６】
ドライバーヘッド３０は第１端３１を有する。第１端３１の周面には、軸方向に延びる多数の押付コーナー部３１１と、第２端面３１２と、が設けられている。押付コーナー部３１１から中心軸線１１までの最大距離は、止め縁１５から中心軸線１１までの距離よりも小さい。押付コーナー部３１１の軸方向での最大外径を有する箇所から第２端面３１２までの距離は、前記予定距離よりも大きくない。本実施例では、第１端３には、多角ボール状ヘッド３１３と、半径方向凸縁３１４と、が設けられている。多角ボール状ヘッド３１３と半径方向凸縁３１４の間はネック状を呈する。ドライバーヘッド３０の第２端３１５に四角継ぎ手３１６が形成されている。駆動装置は四角継ぎ手３１６と接続することが可能である。前記駆動装置は、アダプター、螺子ドライバー、又はドリルなどの工具である。
【００２７】
第１端３１は第１連接端２２に脱着可能に挿入することが可能である。各押付コーナー部３１１は、それに対応する係り凹み２３に回転するときに、当該係り凹み２３に入れることが可能である。第１端面２４とこれらの止め縁１５が互いに近接することにより、図５及び図６に示すように、これらの止め縁１５を介して、ドライバーヘッド３０の第１端３１が第１連接端２２内に規制されている。
【００２８】
本実施例のドライバーヘッド交換可能な工具は、更に、押付手段４０を含む。押付手段４０は、非円形内周壁１３又は非円形外周壁２１に後退可能に突設されている押付体４１を含む。押付体４１は、非円形内周壁１３と非円形外周壁２１の間に押付ける。押付手段４０は、更に、軸方向延び溝４２を含み、軸方向延び溝４２は、非円形内周壁１３と非円形外周壁２１のうちの一方に形成されており、非円形内周壁１３と非円形外周壁２１のうちの他方に押付体４１が設けられており、押付体４１は軸方向延び溝４２に移動可能に設けられていることが好ましい。軸方向延び溝４２は、更に、少なくとも一つの定位溝部を含み、前記定位溝部は、より大きくて深く、スリーブ端部内縁１２に近接する第１定位溝部４３と、スリーブ端部内縁１２から遠ざかった第２定位溝部４４と、を含み、押付体４１が第１定位溝部４３に押付けているときには、第１端面２４とスリーブ端部内縁１２の間の距離は前記予定距離よりも小さく、押付体４１が第２定位溝部４４に押付けているときには、第１端面２４とスリーブ端部内縁１２の間の距離は前記予定距離よりも小さくないことが好ましい。押付手段４０により、外スリーブ１０と内スリーブ２０は予定位置に定位されている。
【００２９】
内スリーブ２０の第１連接端２２の裏壁には、ドライバーヘッド３０の第１端３１に向く階段面２５が設けられており、半径方向凸縁３１４がスリーブ端部内縁１２に押付けているときには、第１端３１の第２端面３１２が階段面２５に当接することが好ましい。このように、ドライバーヘッド３０、内スリーブ２０及び外スリーブ１０の組付けは更に安定的となり、例えばインパクト式動力工具に適用することが可能であり、インパクト式動力工具は容易に損壊しない。
【実施例２】
【００３０】
図２、図７及び図１０を参照する。図１０は本考案の実施例２を示す断面図である。本実施例の部品は、実施例１の部品と同じな場合に、実施例１の部品と同じ符号を付ける。本実施例のドライバーヘッド交換可能な工具は、外スリーブ１０と、内スリーブ２０と、を含む。外スリーブ１０は、中心軸線１１を有し、スリーブ端部内縁１２と、非円形内周壁１３と、を含む。スリーブ端部内縁１２には、多数のコーナー部１４と、これらのコーナー部１４の間に位置する多数の止め縁１５と、が設けられている。コーナー部１４から中心軸線１１までの距離は、止め縁１５から中心軸線１１までの距離よりも大きい。ドライバーヘッド３０の第１端３１は外スリーブ１０に収容される。第１端３１の周面には、軸方向に延びる押付コーナー部３１１が多数設けられている。押付コーナー部３１１から中心軸線１１までの最大距離は、止め縁１５から中心軸線１１までの距離よりも小さい。軸方向から見れば、各押付コーナー部３１１は一つの止め縁１５に対向する。内スリーブ２０は、非円形外周壁２１を有し、外スリーブ１０に脱着可能に嵌合することが可能であり、軸方向に位置する第１連接端２２を有する。第１連接端２２の裏壁には、軸方向に延びる係り凹み２３が多数設けられている。係り凹み２３から中心軸線１１までの距離は、止め縁１５から中心軸線１１までの距離よりも小さい。軸方向から見れば、各係り凹み２３は止め縁１５と重ね合っている。第１連接端２２は、これらの係り凹み２３をこれらの押付コーナー部３１１に対応するように、当該ドライバーヘッドの第１端３１に嵌め設けられている。各押付コーナー部３１１は、それに対応する係り凹み２３に収容される。非円形内周壁２１と非円形外周壁１３は、相対的に円周方向にスライドすることができないように互いに当接する。第１連接端２２とこれらの止め縁１５が互いに近接することにより、これらの止め縁１５を介して、当該ドライバーヘッドの第１端３１が第１連接端２２内に規制されている。
【００３１】
本実施例のドライバーヘッド交換可能な工具は、更に、押付手段４０を含む。押付手段４０は、非円形内周壁１３又は非円形外周壁２１に後退可能に突設されている押付体４１を含む。押付体４１は、非円形内周壁１３と非円形外周壁２１の間に押付ける。押付手段４０の構成は、実施例１と同じであってもよく、説明を省略する。
【００３２】
次に、本考案の使用状態を説明する。図３から図８を参照する。第１端面２４とスリーブ端部内縁１２の間の距離を前記予定距離よりも小さくないようにすることにより、当該ドライバーヘッドの第１端３１を内スリーブ２０の第１連接端２２に差し込むことが可能である。当該ドライバーヘッドの第１端３１を内スリーブ２０の第１連接端２２に差し込んで回転すると、各押付コーナー部３１１が各係り凹み２３と各止め縁１５に対応する。各押付コーナー部３１１を、それに対応する係り凹み２３に回転すると、当該係り凹み２３に入れることが可能である。このとき、外スリーブ１０と内スリーブ２０を互いに近接すると、これらの止め縁１５により、当該ドライバーヘッドの第１端３１は第１連接端２２内に規制されている。半径方向凸縁がスリーブ端部内縁に押付けていないときに、当該ドライバーヘッドは、多角ボール状ヘッドを中心として、外スリーブと内スリーブに対して旋回することが可能である。或いは、外スリーブ１０に当該ドライバーヘッドの第１端３１を収容して、図１０に示すように、各押付コーナー部３１１を止め縁１５に対向して、外スリーブ１０に内スリーブ２０を嵌め込んで、図７及び図８に示すように、これらの止め縁１５により、当該ドライバーヘッドの第１端３１は第１連接端２２内に規制されている。
【００３３】
本考案のドライバーヘッドは多角ボール状ヘッドであるが、もちろん、図１１に示すドライバーヘッド３０ａを採用してもよい。ドライバーヘッド３０ａの第２端に六角ロッド３１ａ（六角レンチとすることが可能）が形成されている。なお、図１２に示すドライバーヘッド３０ｂを採用してもよい。ドライバーヘッド３０ｂの第２端にソケット３１ｂが形成されているが、本考案はこれらに限定されない。もちろん、ドライバーヘッド３０ｂの第２端に、例えば螺子ドライバー、又はドリルなどを形成してもよい。図１３に示すドライバーヘッド３０ｃは第１端３１ｃに多角ロッド３２ｃが設けられている。軸方向から見れば、多角ロッド３２ｃの各押付コーナー部３３ｃは止め縁と重ね合うため、ドライバーヘッド３０ｃは内スリーブから脱出することができない。
【００３４】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００３５】
本考案は、工具に適用することができる。
【符号の説明】
【００３６】
１０  外スリーブ
１１  中心軸線
１２  スリーブ端部内縁
１３  非円形内周壁
１４  コーナー部
１５  止め縁
２０  内スリーブ
２１  非円形外周壁
２２  第１連接端
２３  係り凹み
２４  第１端面
２５  階段面
３０  ドライバーヘッド
３０ａ  ドライバーヘッド
３０ｂ  ドライバーヘッド
３０ｃ  ドライバーヘッド
３１  第１端
３１ａ  六角ロッド
３１ｂ  ソケット
３１ｃ  第１端
３２ｃ  多角ロッド
３３ｃ  押付コーナー部
４０  押付手段
４１  押付体
４２  軸方向延び溝
４３  第１定位溝部
４４  第２定位溝部
３１１  押付コーナー部
３１２  第２端面
３１３  多角ボール状ヘッド
３１４  半径方向凸縁
３１５  第２端
３１６  四角継ぎ手
【図１】
0003192986.tif 000003
【図２】
0003192986.tif 000004
【図３】
0003192986.tif 000005
【図４】
0003192986.tif 000006
【図５】
0003192986.tif 000007
【図６】
0003192986.tif 000008
【図７】
0003192986.tif 000009
【図８】
0003192986.tif 000010
【図９】
0003192986.tif 000011
【図１０】
0003192986.tif 000012
【図１１】
0003192986.tif 000013
【図１２】
0003192986.tif 000014
【図１３】
0003192986.tif 000015